(57)【要約】【課題】  ΔΣ変調１ビットオーディオデータによるマルチチャンネルオーディオとベースバンドのビデオデータとを同時にデジタル伝送する。【解決手段】  可変クロック生成回路３４は、これから受信装置４側に送信しようとするビデオデータの解像度に基づいて生成するクロックを可変する。この送信しようとするビデオデータの解像度は、受信装置４側のモニタ受像機５の解像度の能力によって特定される。多重化回路３３は、可変クロック生成回路３４によって周波数が可変されたクロックに応じてビデオデータと上記パケット化された１ビットオーディオデータとを多重化する。多重化回路３３におけるビデオデータと１ビットオーディオデータとの多重化は、送信しようとするビデオデータの解像度、つまり受信装置４側のモニタ受像機５の解像度によって左右される。【選択図】  図４
2005295394.tif 000002
【特許請求の範囲】
【請求項１】
オーディオデータとビデオデータを受信装置側に送信する送信装置において、
上記ビデオデータの解像度にしたがって周波数が可変するクロックを生成する可変クロック生成手段と、
上記ビデオデータの解像度にしたがってサンプリング周波数及びチャンネル数が制限されたΔΣ変調１ビットオーディオデータをパケット化するパケット化手段と、
上記パケット化手段によりパケット化されたΔΣ変調１ビットオーディオデータと上記ビデオデータとを上記可変クロック生成手段によって生成された可変クロックに基づいて多重化する多重化手段と、
上記可変クロック生成手段による可変クロックの生成を上記ビデオデータの解像度にしたがって制御すると共に、上記パケット化手段による上記ΔΣ変調１ビットオーディオデータのパケット化を制御し、かつ上記多重化手段によるパケット化１ビットオーディオデータとビデオデータとの多重化処理を制御する制御手段と
を備えることを特徴とする送信装置。
【請求項２】
上記制御手段は、上記受信装置側のビデオデータの解像度に基づいて上記可変クロック生成手段にクロックを生成させて、上記多重化手段による多重化処理を制御することを特徴とする請求項１記載の送信装置。
【請求項３】
上記多重化手段は、上記受信装置側のビデオデータの解像度に基づいてダウンコンバートされたビデオデータと上記パケット化１ビットオーディオデータとを多重化することを特徴とする請求項１記載の送信装置。
【請求項４】
上記パケット化手段は、６チャンネルの上記１ビットオーディオデータを８ビットづつパックして１パケットを形成することを特徴とする請求項１記載の送信装置。
【請求項５】
オーディオデータとビデオデータを受信装置側に送信するための送信方法において、
上記ビデオデータの解像度にしたがって周波数が可変するクロックを生成する可変クロック生成工程と、
上記ビデオデータの解像度にしたがってサンプリング周波数及びチャンネル数が制限されたΔΣ変調１ビットオーディオデータをパケット化するパケット化工程と、
上記パケット化工程によりパケット化されたΔΣ変調１ビットオーディオデータと上記ビデオデータとを上記可変クロック生成工程によって生成された可変クロックに基づいて多重化する多重化工程と、
上記多重化工程によって多重化されたパケット化１ビットオーディオデータとビデオデータとを上記受信装置側に送信する送信工程と
を備えることを特徴とする送信方法。
【請求項６】
ビデオデータの解像度に基づいてサンプリング周波数及びチャンネル数が制限されてパケット化されたΔΣ変調１ビットオーディオデータと、ビデオデータとの多重化信号を送信側から受信する受信装置であって、
上記多重化信号からビデオデータとパケット化オーディオデータとを分離する分離手段と、
上記分離手段によって分離されたパケット化オーディオデータのパケット化を解くデパケット手段と、
上記デパケット手段によってパケット化が解かれた１ビットオーディオデータを出力するオーディオ出力手段と
を備えることを特徴とする受信装置。
【請求項７】
ビデオデータの解像度に基づいてサンプリング周波数及びチャンネル数が制限されてパケット化されたΔΣ変調１ビットオーディオデータと、ビデオデータとの多重化信号を送信側から受信するための受信方法であって、
上記多重化信号からビデオデータとパケット化オーディオデータとを分離する分離工程と、
上記分離工程によって分離されたビデオデータを復号するビデオ復号工程と、
上記分離工程によって分離されたパケット化オーディオデータのパケット化を解くデパケット工程と、
上記デパケット工程によってパケット化が解かれた１ビットオーディオデータを出力するオーディオ出力工程と
を備えることを特徴とする受信方法。
【請求項８】
ビデオデータの解像度にしたがって周波数が可変するクロックを生成する可変クロック生成手段と、ビデオデータの解像度にしたがってサンプリング周波数及びチャンネル数が制限されたΔΣ変調１ビットオーディオデータをパケット化するパケット化手段と、上記パケット化手段によりパケット化されたΔΣ変調１ビットオーディオデータと上記ビデオデータとを上記可変クロック生成手段が生成した可変クロックに基づいて多重化する多重化手段と、上記可変クロック生成手段による可変クロックの生成を上記ビデオデータの解像度にしたがって制御すると共に、上記パケット手段による上記ΔΣ変調１ビットオーディオデータのパケット化を制御し、かつ上記多重化手段によるパケット化１ビットオーディオデータとビデオデータとの多重化処理を制御する制御手段とを備えてオーディオデータとビデオデータを受信装置側に送信する送信装置と、
ビデオデータの解像度に基づいてサンプリング周波数及びチャンネル数が制限されてパケット化されたΔΣ変調１ビットオーディオデータと、ビデオデータとの多重化信号からビデオデータとパケット化オーディオデータとを分離する分離手段と、上記分離手段によって分離されたパケット化オーディオデータのパケット化を解くデパケット手段と、上記デパケット手段によってパケット化が解かれた１ビットオーディオデータを出力するオーディオ出力手段とを備えてなる受信装置と
を有することを特徴とする送受信システム。
【発明の詳細な説明】
【技術分野】
【０００１】
本発明は、複数ビットのデジタル入力信号又は１ビットデジタル入力信号にデルタシグマ（ΔΣ）変調処理を施して生成したΔΣ変調１ビットオーディオデータとビデオデータとを受信装置型に送信する送信装置及び送信方法に関する。また、本発明は、上記送信装置及び送信方法によって送信されてきたΔΣ変調１ビットオーディオデータとビデオデータとの多重化信号を受信して再生する受信装置及び受信方法に関する。また、本発明は、上記送信装置と受信装置からなる送受信システムに関する。
【背景技術】
【０００２】
従来、デジタルオーディオにおいてデータの形はリニアＰＣＭが用いられてきており、ＣＤ、ＤＡＴ等においてメディアに保存されている。例えば、ＣＤはサンプリング周波数ｆｓを約４４．１ｋＨｚとし、ＰＣＭ方式により１サンプルを各チャンネル１６ビットのデジタルオーティオとして記録している。ＣＤ、ＤＡＴ等のメディアから読み出したデジタルオーディオデータをデジタル伝送するフォーマットはIEC60958に規定されている。
【０００３】
一方、ＤＳＤ（Direct Stream Digital）方式により生成された、サンプリング周波数が非常に高い周波数（例えば通常のＣＤのサンプリング周波数ｆｓの６４倍の周波数）で１ビット方式のオーディオストリームデータを記録しているスーパーオーディオＣＤ（Super Audio ＣＤ：ＳＡ−ＣＤ）が知られるようになった。入力信号に対して６４ｆｓのオーバーサンプリング・ΔΣ変調を施すと１ビットオーディオデジタル信号が得られる。ＣＤ方式のシステムでは、その直後に１ビットの信号からマルチビットのＰＣＭ符号へのデシメーションが行われるが、ＤＳＤ方式を採用した前記ＳＡ−ＣＤではΔΣ変調により生成された１ビットオーディオ信号（ΔΣ変調１ビットオーディオデータ）を直接記録している。ＳＡ−ＣＤに記録されるΔΣ変調１ビットオーディオデータの周波数帯域はおよそ１００ｋＨｚであり、ＣＤで採用されているＰＣＭ方式における信号の周波数帯域と比べて非常に広い。このΔΣ変調１ビットオーディオデータによるデジタルオーディオ伝送にはIEEE1394（IEC61883)が用いられている。本件出願人による、特開２００１−２２３５８８、特開２００２−２１７９１１には、IEEE1394方式のバスラインを用いた１ビットオーディオデータの伝送に関する技術が開示されている。
【０００４】
さらに、近年は、ベースバンドのハイビジョンとリニアＰＣＭオーディオのマルチチャンネルオーディオとを同時にデジタル伝送できる高解像度マルチメディアインターフェース（High-Deminition Multimedia Interface：ＨＤＭＩ）が策定された。このＨＤＭＩについての詳細は、インターネットのＨＰ、http://www.licensing.philips.comに開示されている。
【０００５】
【特許文献１】特開２００１−２２３５８８
【特許文献２】特開２００２−２１７９１１
【発明の開示】
【発明が解決しようとする課題】
【０００６】
ところで、ΔΣ変調１ビットオーディオデータによるマルチチャンネルオーディオとベースバンドのハイビジョンとを同時にデジタル伝送する技術は未だ確立されていなかった。
【０００７】
本発明は、上記実情に鑑みてなされたものであり、ΔΣ変調１ビットオーディオデータによるマルチチャンネルオーディオとベースバンドのビデオデータとを同時にデジタル伝送する送信装置及び送信方法の提供を目的とする。
【０００８】
また、本発明は、上記送信装置及び送信方法によって送信されてきたΔΣ変調１ビットオーディオデータとビデオデータとの多重化信号を受信して再生する受信装置及び受信方法の提供を目的とする。
【０００９】
本発明は、上記実情に鑑みてなされたものであり、ΔΣ変調１ビットオーディオデータによるマルチチャンネルオーディオとベースバンドのビデオデータとを同時にデジタル送受信することができる送受信システムの提供を目的とする。
【課題を解決するための手段】
【００１０】
本発明に係る送信装置は、上記課題を解決するために、オーディオデータとビデオデータを受信装置側に送信する送信装置において、上記ビデオデータの解像度にしたがって可変するクロックを生成する可変クロック生成手段と、上記ビデオデータの解像度にしたがってサンプリング周波数及びチャンネル数が制限されたΔΣ変調１ビットオーディオデータをパケット化するパケット化手段と、上記パケット化手段によりパケット化されたΔΣ変調１ビットオーディオデータと上記ビデオデータとを上記可変クロック生成手段によって生成された可変クロックに基づいて多重化する多重化手段と、上記可変クロック生成手段による可変クロックの生成を上記ビデオデータの解像度にしたがって制御すると共に、上記パケット化手段による上記ΔΣ変調１ビットオーディオデータのパケット化を制御し、かつ上記多重化手段によるパケット化１ビットオーディオデータとビデオデータとの多重化処理を制御する制御手段とを備える。
【００１１】
制御手段は、可変クロック生成手段による可変クロックの生成をビデオデータの解像度にしたがって制御すると共に、パケット手段によるΔΣ変調１ビットオーディオデータのパケット化を制御し、かつ多重化手段によるパケット化１ビットオーディオデータとビデオデータとの多重化を制御する。
【００１２】
本発明に係る送信方法は、上記課題を解決するために、オーディオデータとビデオデータを受信装置側に送信するための送信方法において、上記ビデオデータの解像度にしたがって可変するクロックを生成する可変クロック生成工程と、上記ビデオデータの解像度にしたがってサンプリング周波数及びチャンネル数が制限されたΔΣ変調１ビットオーディオデータをパケット化するパケット化工程と、上記パケット化工程によりパケット化されたΔΣ変調１ビットオーディオデータと上記ビデオデータとを上記可変クロック生成工程によって生成された可変クロックに基づいて多重化する多重化工程と、上記多重化工程によって多重化されたパケット化１ビットオーディオデータとビデオデータとを上記受信装置側に送信する送信工程とを備える。
【００１３】
パケット化工程は、ビデオデータの解像度に基づいてサンプリング周波数及びチャンネル数が制限されたΔΣ変調１ビットオーディオデータをパケット化する。多重化工程は、パケット化工程によりパケット化されたΔΣ変調１ビットオーディオデータと上記ビデオデータとを上記可変クロックに基づいて多重化する。送信工程は、多重化工程によって多重化されたパケット化１ビットオーディオデータとビデオデータとを受信装置側に送信する。
【００１４】
本発明に係る受信装置は、上記課題を解決するために、ビデオデータの解像度に基づいてサンプリング周波数及びチャンネル数が制限されてパケット化されたΔΣ変調１ビットオーディオデータと、ビデオデータとの多重化信号を送信側から受信する受信装置であって、上記多重化信号からビデオデータとパケット化オーディオデータとを分離する分離手段と、上記分離手段によって分離されたビデオデータを復号するビデオ復号手段と、上記分離手段によって分離されたパケット化オーディオデータのパケット化を解くデパケット手段と、上記デパケット手段によってパケット化が解かれた１ビットオーディオデータを出力するオーディオ出力手段とを備える。
【００１５】
分離手段は、ビデオデータの解像度に基づいてサンプリング周波数及びチャンネル数が制限されてパケット化されたΔΣ変調１ビットオーディオデータと、ビデオデータとの多重化信号からビデオデータとパケット化オーディオデータとを分離する。デパケット手段は、分離手段によって分離されたパケット化オーディオデータのパケット化を解く。オーディオ出力手段は、デパケット手段によってパケット化が解かれた１ビットオーディオデータを出力する。
【００１６】
本発明に係る受信方法は、上記課題を解決するために、ビデオデータの解像度に基づいて可変するクロックにしたがってサンプリング周波数及びチャンネル数が制限されてパケット化されたΔΣ変調１ビットオーディオデータと、ビデオデータとの多重化信号を送信側から受信するための受信方法であって、上記多重化信号からビデオデータとパケット化オーディオデータとを分離する分離工程と、上記分離工程によって分離されたビデオデータを復号するビデオ復号工程と、上記分離工程によって分離されたパケット化オーディオデータのパケット化を解くデパケット工程と、上記デパケット工程によってパケット化が解かれた１ビットオーディオデータを出力するオーディオ出力工程とを備える。
【００１７】
分離工程は、ビデオデータの解像度に基づいてサンプリング周波数及びチャンネル数が制限されてパケット化されたΔΣ変調１ビットオーディオデータと、ビデオデータとの多重化信号からビデオデータとパケット化オーディオデータとを分離する。デパケット工程は、分離工程によって分離されたパケット化オーディオデータのパケット化を解く。オーディオ出力工程は、デパケット手段によってパケット化が解かれた１ビットオーディオデータを出力する。
【００１８】
本発明に係る送受信システムは、上記課題を解決するために、ビデオデータの解像度にしたがって可変するクロックを生成する可変クロック生成手段と、ビデオデータの解像度にしたがってサンプリング周波数及びチャンネル数が制限されたΔΣ変調１ビットオーディオデータをパケット化するパケット化手段と、上記パケット化手段によりパケット化されたΔΣ変調１ビットオーディオデータと上記ビデオデータとを上記可変クロック生成手段によって生成された可変クロックに基づいて多重化する多重化手段と、上記可変クロック生成手段による可変クロックの生成を上記ビデオデータの解像度にしたがって制御すると共に、上記パケット手段による上記ΔΣ変調１ビットオーディオデータのパケット化を制御し、かつ上記多重化手段によるパケット化１ビットオーディオデータとビデオデータとの多重化処理を制御する制御手段とを備えてオーディオデータとビデオデータを受信装置側に送信する送信装置と、ビデオデータの解像度に基づいてサンプリング周波数及びチャンネル数が制限されてパケット化されたΔΣ変調１ビットオーディオデータと、ビデオデータとの多重化信号からビデオデータとパケット化オーディオデータとを分離する分離手段と、上記分離手段によって分離されたパケット化オーディオデータのパケット化を解くデパケット手段と、上記デパケット手段によってパケット化が解かれた１ビットオーディオデータを出力するオーディオ出力手段とを備えてなる受信装置とを有する。
【発明の効果】
【００１９】
本発明に係る送信装置は、制御手段が可変クロック生成手段による可変クロックの生成をビデオデータの解像度にしたがって制御すると共に、パケット手段によるΔΣ変調１ビットオーディオデータのパケット化を制御し、かつ多重化手段によるパケット化１ビットオーディオデータとビデオデータとの多重化を制御するので、ΔΣ変調１ビットオーディオデータによるマルチチャンネルオーディオとベースバンドのビデオデータとを同時にデジタル伝送することができる。
【００２０】
本発明に係る送信方法は、パケット化工程が可変クロック生成工程によって生成されたクロックに基づいてサンプリング周波数及びチャンネル数が制限されたΔΣ変調１ビットオーディオデータをパケット化し、多重化工程がパケット化工程によりパケット化されたΔΣ変調１ビットオーディオデータと上記ビデオデータとを多重化し、送信工程が多重化工程によって多重化されたパケット化１ビットオーディオデータとビデオデータとを受信装置側に送信するので、ΔΣ変調１ビットオーディオデータによるマルチチャンネルオーディオとベースバンドのビデオデータとを同時にデジタル伝送することができる。
【００２１】
本発明に係る受信装置は、分離手段がビデオデータの解像度に基づいてサンプリング周波数及びチャンネル数が制限されてパケット化されたΔΣ変調１ビットオーディオデータと、ビデオデータとの多重化信号からビデオデータとパケット化オーディオデータとを分離し、デパケット手段が分離手段によって分離されたパケット化オーディオデータのパケット化を解き、オーディオ出力手段がデパケット手段によってパケット化が解かれた１ビットオーディオデータを出力するので、送信装置によって送信されてきたΔΣ変調１ビットオーディオデータとビデオデータとの多重化信号を受信して再生することができる。
【００２２】
本発明に係る受信方法は、分離工程がビデオデータの解像度に基づいてサンプリング周波数及びチャンネル数が制限されてパケット化されたΔΣ変調１ビットオーディオデータと、ビデオデータとの多重化信号からビデオデータとパケット化オーディオデータとを分離し、デパケット工程が分離工程によって分離されたパケット化オーディオデータのパケット化を解き、オーディオ出力工程がデパケット工程によってパケット化が解かれた１ビットオーディオデータを出力するので、送信装置によって送信されてきたΔΣ変調１ビットオーディオデータとビデオデータとの多重化信号を受信して再生することができる。
【００２３】
本発明に係る送受信システムは、ΔΣ変調１ビットオーディオデータによるマルチチャンネルオーディオとベースバンドのビデオデータとを同時にデジタル送受信することができる。
【発明を実施するための最良の形態】
【００２４】
以下、本発明を実施するための最良の形態を説明する。図１は実施の形態のビデオ・オーディオデータ送受信システム１の構成を示す図である。このビデオ・オーディオデータ送受信システム１は、ディスク再生装置２によって再生されたビデオデータとΔΣ変調１ビットオーディオデータとを多重化して受信装置側に送信する送信装置３と、送信装置３から送信されてきた多重化ビデオオーディオデータを受信する受信装置４とからなる。受信装置４は、多重化ビデオオーディオデータを分離しビデオデータに基づくビデオ信号をモニタ受像機５に写し出させ、かつ１ビットオーディオデータに基づくオーディオ信号をマルチチャンネル用の各スピーカ７から出力させる。通信路としては高解像度マルチメディアインターフェース（High-Deminition Multimedia Interface：HDMI）に用いられるHDMI816B規格のケーブル８を使用する。
【００２５】
図２はディスク再生装置の構成図である。ディスク１１は、MPEG（Moving Picture Coding Experts Group）規格のビデオータを記録している。また、ディスク１１は、後述するΔΣ変調により生成されたダイレクトストリームデジタル（Direct Stream Digital：DSD）方式の１ビットオーディオデータを上記ビデオデータに関連付けて多重化記録している。例えば、映画、歌劇、演劇、ミュージカルであれば、上記ビデオデータとDSD方式の１ビットオーディオデータは、関連したデータである。また、ディスク１１は、DSD方式の１ビットオーディオデータからなるSA-CD規格のアルバムに関連したビデオデータを記録してもよい。もちろん、アルバムのジャケット等をJPEG規格の静止画として記録してもよい。
【００２６】
光ピックアップ１２は、レーザ光源、ビームスプリッタ、対物レンズ、受光素子（フォトダイオード）等を備えてなる。光ピックアップ１２は、ディスク１１にレーザ光を照射し、このレーザ光のディスク１１からの反射光を受光して電気信号に変換し、これをＲＦ回路１３に供給する。ディスク１１からの反射光は、ディスク１１に記録されているデータに応じて変化するものである。
【００２７】
ＲＦ回路１３は、光ピックアップ１２からの信号から再生ＲＦ信号を形成し、波形等化及び２値化処理などを行って、再生データを形成し、これをフロントエンド回路１４（ＦＥ回路という）に供給する。また、ＲＦ回路１３は、トラッキングエラー信号、フォーカスエラー信号などのサーボエラー信号も形成する。
【００２８】
これら各サーボエラー信号を用いて、トラッキングエラー制御、フォーカスエラー制御などを行って、適正な大きさのスポット形状のレーザ光により、ディスク上のデータが記録されたトラック上を正確に走査することができる。
【００２９】
なお、図２においては、説明を簡単にするため、ディスク１１を回転駆動させるスピンドルモータ、光ピックアップをディスクの半径方向に移動させるスレッド機構部、光ピックアップの位置をディスクに直交する方向、及びディスクの半径方向に微調整するための２軸アクチュエータなどについての記載は省略した。
【００３０】
ＦＥ回路１４は、これに供給された再生データの復調や誤り訂正などの処理を行い、処理後の再生データをデータ分離回路１５に供給する。データ分離回路１５は、再生データからディスク１１に多重化記録されているビデオデータと１ビットオーディオデータとを分離する。データ分離回路１５で再生データから分離されたビデオデータはビデオデコーダ１６に供給される。また、データ分離回路１５で再生データから分離された１ビットオーディオデータはオーディオデコーダ１８に供給される。ビデオデコーダ１６は、図示を省略するビデオコードバッファに上記ビデオデータを一旦蓄え、そこからビデオデータを取り出して復号処理を行い、伸長化したビデオデータを出力端子１７から送信装置３の多重化回路に送る。オーディオデコーダ１８は、図示を省略するオーディオコードバッファに上記オーディオデータを一旦蓄え、そこからオーディオデータを取り出して復号処理を行い、伸長化したオーディオデータを出力端子１９を介して送信装置３のパケット化回路に送る。
【００３１】
図３は、ディスクに記録されるDSD方式の１ビットオーディオデータを生成する１ビットΔΣ変調器２０の構成を示す図である。ΔΣ変調器２０は、加算器２２と、積分器２３と、１ビット量子化器２４と、１サンプル遅延器２６とを備えてなる。加算器２２の加算出力は積分器２３に供給され、積分器２３からの積分出力は１ビット量子化器２４に供給される。１ビット量子化器２４の量子化出力は出力端子２５から導出される一方、１サンプル遅延器２６を介して負符号とされて加算器２２にフィードバックされ、入力端子２１から供給されるアナログオーディオ信号に加算される。加算器２２からの加算出力は、積分器２３で積分される。そして、この積分器２３からの積分出力を１ビット量子化器２４で１サンプル期間毎に量子化しているので、出力端子２５から１ビット量子化データ、すなわち上記１ビットオーディオデータを出力することができる。
【００３２】
図４は、送信装置３の構成を示す図である。この送信装置３は、ビデオデータの解像度にしたがって周波数が可変するクロックを生成する可変クロック生成回路３４と、ビデオデータの解像度にしたがってサンプリング周波数及びチャンネル数が制限されたΔΣ変調１ビットオーディオデータをパケット化するパケット化回路３２と、パケット化回路３２によりパケット化されたΔΣ変調１ビットオーディオデータと、ビデオデータとを多重化する多重化回路３３と、多重化回路３３によって生成された多重化データを上記ケーブル８に送り出すＩ／Ｆ回路３８を備える。また、この送信装置３は、可変クロック生成回路３４による可変クロックの生成と、パケット化回路３２の１ビットオーディオデータに対するパケット化と、多重化回路３３の多重化処理を制御するコントローラ３５とを備える。コントローラ３５には、入力操作装置３６としてマウス３６ａ、キーボード３６ｂが接続されている。また、上記受信装置４に接続されたモニタ受像機５の特徴を記憶する記憶部（ＲＡＭ）３７も接続されている。
【００３３】
可変クロック生成回路３４は、これから受信装置４側に送信しようとするビデオデータの解像度に基づいて周波数を可変したクロックを生成する。この送信しようとするビデオデータの解像度は、受信装置４側のモニタ受像機５の解像度の能力によって特定される。
【００３４】
多重化回路３３は、可変クロック生成回路３４によって周波数が可変されたクロックに応じてビデオデータと上記パケット化された１ビットオーディオデータとを多重化する。多重化回路３３におけるビデオデータと１ビットオーディオデータとの多重化は、送信しようとするビデオデータの解像度、つまり受信装置４側のモニタ受像機５の解像度によって左右される。
【００３５】
これは、ビデオオーディオデータ送受信システムが、高解像度マルチメディアインターフェース（High-Deminition Multimedia Interface：HDMI）に用いられるHDMI816B規格のケーブル８を使用しているためである。このシステムによるデータの伝送は、無限のバンド幅で行われるわけではなく、限られたバンド幅で行われる。しかし、このHDMIによるHDMI816B規格のケーブル８を用いた伝送は、伝送のバンド幅がビデオデータの大きさによって可変する。例えば、ハイビジョンサイズだと多くのデータが送れる余地がある。しかし、普通の640×480のVGA（Video Graphics Array)だとハイビジョンサイズほどのデータを送れる余地はない。これは、ビデオデータを送るときに、スキャンするためのピクセルクロックも送っているからである。このピクセルクロックは、画像サイズ、あるいは解像度にしたがって可変する。したがって、ハイビジョンサイズは、周波数の高いクロックを一緒に送ることになる。また、例えばＶＧＡのように画像が小さいときは低いクロックを送ることになる。
【００３６】
HDMIでは、オーディオデータはビデオデータを送っている隙間に送ることになっている。具体的には、ブランキング期間に入れることになっている。このため、必然的に小さな画面用のビデオデータを送るときには、大きな画面用のビデオデータを送るときよりも、ブランキング期間が少なくなるので、相対的に伝送レートが低くなってしまう。
【００３７】
このように、HDMIにおけるビデオデータとオーディオデータの伝送においては、データと共にピクセルクロックを伝送する仕様になっており、その結果送る画像のフォーマット（解像度）によってデジタルオーディオデータのサンプリング周波数、チャンネル数の伝送可能スペックに制限がかかる。
【００３８】
このため、送信装置３は、受信装置４側のモニタ受像機５の解像度に関する情報の送信を要求し、要求に応答して送られてきた上記解像度に関する情報をＲＡＭ３７に書き込んでおく。そして、このＲＡＭ３７からコントローラ３５が上記解像度に関する情報を、読み出して、可変クロック生成回路３４に解像度に基づいたクロックを生成させ、多重化回路３３にビデオデータに上記クロックに同期してパケット化オーディオデータを多重化する。
【００３９】
図５は、例えば垂直同期周波数60Hzのとき、及び50Hzのとき各画面種類（Description）における、PCMオーディオデータのサンプリング周波数、チャンネル数等の伝送可能スペックを示す図である。例えば、矢印４０でポイントする、画面種類が480pでフォーマットタイミング（Format Timing)が1440×480pで垂直同期周波数が59.94Hzである［1440×480P@59.94Hz］の例を示す。基本的には水平ブランキングH-Blkの期間に伝送できるオーディオパック数で決まることになる。
【００４０】
図６に示すように、この場合の水平ブランキングH-Blkは276クロック（clock）で高帯域幅デジタルコンテンツプロテクション（High-bandwidth Digital Content Protection：HDCP）の鍵生成プロセスに56クロック、また前後のガードバンドＧＢに２クロック*２が必要になるので、実際にデータ伝送で仕様できるクロック数は、276-56-（2*2）=216クロックとなる。この216クロック中に伝送できるオーディオサンプルパケット数（Audio Pack）は、１オーディオサンプルパケット数の伝送に必要なクロック数が32クロックであるので、216/32=6.75となり、最大6パケットの伝送が可能になる。
【００４１】
また、マルチチャンネルPCMの場合（3〜8chまで同じ）、このビデオフォーマットでは、水平同期周波数（H freq）が31.469kHzである。このため、サンプリング周波数fsが96kHzであれば1Hあたり平均で96/31.469=3.0506・・となり1Hあたり4パケットの伝送が必要で、最大6パケットが伝送できるのでこれを満たす（ＯＫ）。また、サンプリング周波数fsが192kHzの場合、192/31.469=6.1012・・となり伝送には1Hあたり7パケットの伝送が必要で、最大6パケットを超えてしまうのでこれを満たさない（ＮＧ）。
【００４２】
リニアPCMデータはIEC60958をベースとして、オーディオサンプルパケット（Audio Sample Pccket）を用い、ヘッダを図７、データを図８のようにして伝送する。ヘッダは、図７に示すように、各１バイトづつ、3つの層HB0、HB1、HB2の3バイトからなる。オーディオサンプルサブパケットはHB1の0〜3ビットまでと、HB2の0〜3ビットまでの2層に割り当てられている。HB1の0〜3ビットには、サンプル・プレゼント・spX（sample_present_sp0、1、2及び3）が割り当てられている。オーディオサンプルを含んでいるサブパケットであることを示している。HB2の0〜3ビットには、サンプル・フラット・spX（sample_flat_sp0、1、2及び3）が割り当てられている。フラットラインflatlineサンプルであることを表現している。サンプル・プレゼント・spXがセットされたときに有効となる。HB2の4〜7ビットには、B.X（B.0〜B.3)が割り当てられている。"1"のときには、IEC60958blockにおいて、第１フレームの中に含まれることを示す。"0"であるときには、それ以外のフレームになることを示す。
【００４３】
データは、図８に示すように、各１バイトづつ、７層のSB0,SB1,・・・SB6からなる。SB0〜SB2には、タイムスロットXから左チャンネル（第１サブフレーム）のビット符号がL.4〜L.11、L12〜L.19、L.20〜L.27のように割り当てられている。同様に、SB3〜SB5には、タイムスロットXから右チャンネル（第２サブフレーム）のビット符号がR.4〜R.11、R12〜R.19、R.20〜R.27のように割り当てられている。SB6の0〜3ビットには、第１サブフレーム（左チャンネル）の有効ビットがVL、第１サブフレームのユーザデータビットがUL、第１サブフレームのチャンネルステータスビットがCL、第１サブフレームの偶数パリティビットがPLとして割り当てられている。また、SB6の4〜7ビットには、第２サブフレーム（右チャンネル）の有効ビットVR、第２サブフレームのユーザデータビットがUR、第２サブフレームのチャンネルステータスビットがCR、第２サブフレームの偶数パリティビットがPRとして割り当てられている。
【００４４】
また、リニアPCMのマルチチャンネル伝送は、これらのパケットを複数組み合わせることにより可能としている。図９には、480p/576p（図５の矢印４１，４２でポイントする）におけるサンプリング周波数fs96kHz以下2チャンネル伝送と、fs48kHz以下8チャンネル伝送の具体例を示す。
【００４５】
2チャンネル伝送は、水平ブランキングH-Blk138クロック（clock）を用いて以下のとおりに行う。高帯域幅デジタルコンテンツプロテクション（High-bandwidth Digital Content Protection：HDCP）の鍵生成プロセスに56クロック、続いてガードバンドＧＢに２クロック使われる。そのＧＢに続いて32クロックをサンプルN、N+1、N+2、N+3に割り当てる。１水平ラインに１パケットを、１パケット当たりに３又は４サンプルを割り当てる。
【００４６】
8チャンネル伝送も、水平ブランキングH-Blk138クロック（clock）を用いるが、以下のとおりになる。HDCPの鍵生成プロセスに56クロック、続いてガードバンドＧＢに２クロック使われる。そのＧＢに続いて32クロックをサンプルNのチャンネル1,2、3,4、5,6、7,8に割り当てる。さらに続いて32クロックをサンプルN+1のチャンネル1,2、3,4、5,6、7,8に割り当てる。１ラインに１又は２パケットを割り当てている。
【００４７】
図１０には、480p/576p（図５の矢印４０、４３でポイントする）におけるダブルピクセルの場合のサンプリング周波数fs96kHz8チャンネル伝送の具体例を示す。ダブルピクセルであるので、水平ブランキングH-Blk276クロック（clock）を用いる。HDCPの鍵生成プロセスに56クロック、続いてガードバンドＧＢに２クロック使われる。そのＧＢに続いて32クロックをサンプルNのチャンネル1,2、3,4、5,6、7,8に割り当てる。続いて32クロックをサンプルN+1のチャンネル1,2、3,4、5,6、7,8に割り当てる。さらに、続いて32クロックをサンプルN+2のチャンネル1,2、3,4、5,6、7,8に割り当てる。GBの2クロックを挟んで、サンプルN+3のチャンネル1,2、3,4、5,6、7,8を次に割り当ててもよい。１ラインに３又は４ラインを割り当てている。
【００４８】
また、それぞれのサンプルパケットは、サブパケットsubpacket(7バイト単位）から構成されている。図１１には、ヘッダとサンプルパケット及びサブパケットとの関係を示す。サンプルパケットとして、チャンネル0、チャンネル1、チャンネル2を挙げている。例えば、チャンネル0は、ピクセルクロック0、ピクセルクロック1・・・ピクセルクロック31に同期して、D0〜D3の0Ai〜31Aiを構成している。ここで、iはD0〜D3の数字に相当している。D0は水平同期HSYNCに、D1は垂直同期VSYNCに用いられる。D2はBCHblock4に使われる。チャンネル1及びチャンネル2も、ピクセルクロック0、ピクセルクロック1・・・ピクセルクロック31に同期して、D0〜D3の0Ai〜31Aiを構成している。チャンネル1のD0とチャンネル2のD0は、BCHblock0を構成する。チャンネル1のD1とチャンネル2のD1は、BCHblock1を構成する。これにならって、チャンネル1のDiとチャンネル2のDiは、BCHblockiを構成する。
【００４９】
BCHblock0は、チャンネル1の0B0、チャンネル2の0C0、チャンネル1の1B0、チャンネル2の1C0、これにならったチャンネル1のmB0、チャンネル2のmC0によって構成される。ここで、mは、ピクセルクロックの数0〜31である。BCHblock1は、チャンネル1の0B1、チャンネル2の0C1、チャンネル1の1B1、チャンネル2の1C1、これにならったチャンネル1のmB1、チャンネル2のmC1によって構成される。これにならってBCHblockiは、チャンネル1のmBi、チャンネル2のmCiによって構成される。各CHblock0〜3の各データが８ビットづつまとめられてByte0〜Byte6からなるサブパケット0〜サブパケット3となる。サブパケット0〜サブパケット3はパケットボディPacket Bodyを構成する。各サブパケットには２bitのパリティビットが付加される。BCHblock4は、0A1からByte単位でまとめられて3Byte0〜2からなるパケットヘッダPacket Headerを構成する。このパケットヘッドには、パリティビットが付加される。このように、リニアPCMでは、２チャンネル分で一つのオーディオパケットを構成し、例えば８チャンネル伝送であれば、上記オーディオパケットを４つ使った伝送を行う。以上、リニアPCMのデータの伝送について説明した。
【００５０】
ここにおいて、DSDの伝送を定義しようとすると、単純には図１２に示すように、リニアPCMで使用していたデータ24ビットの部分にDSDのデータを埋め込み、サブ情報は新たに付加するDSDパケットを新定義することが考えられる。すなわち、図１２において、CH1.XとしてSB0〜SB2には、第１チャンネル（左）DSDデータの24ビット（CH1.0〜CH1.24）をパックし、SB3〜SB5にはCH2.Xとして第2チャンネル（右）DSDデータの24ビット（CH2.0〜CH2.24）をパックしている。SB6には、SubP.X（0〜7）が割り当てられる。やはり、２チャンネル分で一つのオーディオパケットを構成する方法である。
【００５１】
ここで、スーパーオーディオCDにおいてサンプリング周波数2.8224MHｚ（64×44.1kHz）のDSD信号が使用されており、それを当てはめて図１３に示すようにDSD8chを考える。変換周波数は、2.8224MHz/24bitPackから117.6kHzである。この場合、ビデオ解像度による伝送より制限が生じ、マルチチャンネル伝送が可能とならないビデオモードが図１４に示すようにでてくる。60HzフォーマットのVGA、480i、240p、480p、50Hzフォーマットの576i、288p、576pという比較的低解像度のビデオモードでは、DSD8チャンネルの伝送モードが不可となっている。
【００５２】
そこで、本実施の形態のビデオ・オーディオデータ送受信システム１の送信装置３では、パケット化回路３２によって、DSDの１ビットオーディオデータを図１５に示すようなサブパケットフォーマットに定義する。
【００５３】
HDMI本来の最大マルチチャンネル数は8であるが、スーパーオーディオCDにおいては6なので、それを利用し、伝送帯域を有効化するサブパケットフォーマットを形成している。すなわち、図１５において、SB0〜SB5の6バイトに、CH1.0〜７、CH2.0〜7、CH3.0〜７、CH4.0〜7、CH5.0〜７、CH6.0〜7というチャンネル毎に8ビットのデータをパックする。また、SB6の１バイトには、SubP.X（0〜7）が割り当てられる。さらに、図示しないが、8バイト目には、CRCが入る。つまり、１つのパケットには、６つのチャンネルの各８ビットのデータを入れる。上記PCMデータはワードという概念があるが、DSD方式の１ビットデータにはそれがなく、あえて言えば１ビットデータそのものがワードの概念に相当する。このため、受信側では、送信側からデータが送られてきた順番で、データを並べていけば、デコードできる。
【００５４】
このようにして、送信装置３のパケット化回路３２は、DSDデータを８ビット毎にパックし、６チャンネル分スタックし（図１６）、サブ情報とともに一つのサブパケットを構成する。このことによりマルチチャンネル伝送可能なビデオモードを図１７に示すように増やすことができる。不可であるのは、60Hzフォーマットの480pの繰り返し（Repetition）がnoneの場合と、50Hzフォーマットの576pの同じく繰り返し（Repetition）がnoneの場合である。しかし、現在汎用化されているモニタ受像機は、ほとんど繰り返すタイプである。また、マルチチャンネル伝送が不可なビデオモードでは、2CH伝送を行うようにすればよい。DSDは、1ビットのストリームであり、PCMのようなワードがなく、LSBもMSBもないためそのような任意のビット数をパックして伝送し、再生時に時系列的にデータをつなげてストリームを再構成することによりオーディオ再生を可能とする。
【００５５】
ビデオ・オーディオデータ送受信システム１の送信装置３は、パケット化回路３２によってDSDデータを８ビット毎にパックし、６チャンネル分スタックし、サブ情報とともに構成して１ビットオーディオデータをパケット化し、多重化回路３３に送る。多重化回路３３は、可変クロック生成回路３４によって周波数が可変されたクロックに応じてビデオデータと上記パケット化された１ビットオーディオデータとを多重化する。多重化回路３３におけるビデオデータと１ビットオーディオデータとの多重化は、上述したように、送信しようとするビデオデータの解像度、つまり受信装置４側のモニタ受像機５の解像度によって左右される。
【００５６】
図１８は、受信装置４の構成を示す図である。この受信装置４は、送信装置３によりビデオデータの解像度に基づいて可変するクロックにしたがってサンプリング周波数及びチャンネル数が制限されてパケット化されたΔΣ変調１ビットオーディオデータと、ビデオデータとの多重化信号を受信する受信装置である。
【００５７】
受信装置４は、HDMI816B規格のケーブル８から上記多重化信号をインターフェースするＩ／Ｆ回路４０と、Ｉ／Ｆ回路４０を介して受け取った上記多重化信号からビデオデータとパケット化オーディオデータとを分離する分離回路４１と、分離回路４１によって分離されたパケット化オーディオデータのパケット化を解くデパケット回路４８と、デパケット回路４８によってパケット化が解かれた１ビットオーディオデータを出力するオーディオ出力部（Ｄ／Ａ変換器）４９からなる。また、受信装置４は、Ｉ／Ｆ回路４８で受信された多重化信号に基づいたコントローラ４４の制御により周波数可変のクロックを生成するクロック生成回路４５と、コントローラ４４と、コントローラ４４に接続されているＲＯＭ４６とを備える。また、分離回路４１とデパケット回路４８との間には、分離回路４１によって分離されたパケット化オーディオデータを一旦バッファリングしてからデパケット回路４８に送るバッファ４７を備える。
【００５８】
分離回路４１は、上記多重化信号を可変クロック生成回路４５で生成された周波数可変のクロックにしたがってビデオデータとオーディオパケットデータとに分離する。可変クロック生成回路４５は、コントローラ４４によって検出された送信側から送られてきた可変クロックに基づいて受信装置側のクロックを生成する。ビデオデータは、出力端子４３を介してモニタ受像機５に供給される。オーディオパケットデータは、バッファ４７を介してデパケット回路４８に供給される。デパケット回路４８は、バッファ４７から受け取ったオーディオパケットデータを解き、例えば６チャンネル用に容易されたアナログフィルタ４９によりアナログオーディオ信号に変換し、出力端子５０から図示しないアンプへ送る。
【００５９】
これにより、受信装置４は、オーディオパケットを解いて各チャンネル毎に１本のストリームを再構成してから各チャンネル対応のスピーカから音声にして出力することができる。
【００６０】
以上に説明したように、本実施の形態のビデオ・オーディオデータ送受信システム１は、HDMIのようなビデオデータの解像度によって伝送クロックが可変するようなデータ送受方式にあっても、DSD方式のマルチチャンネル用１ビットオーディオデータをパケット化してビデオデータと多重化して送信し、また受信して再生することができる。
【００６１】
このため、例えば送信側にてSACDのマルチチャンネルオーディオデータと、例えばジャケットのようなビデオデータとを多重化して送信することができる。受信装置では、上記ケーブルを介して多重化データを受け取り、これを分離してから１ビットオーディオパケットを解いて、１ビットオーディオデータをアナログ信号に戻し、スピーカから出力することができる。このとき、受信装置側のモニタ受像機５の解像度が、SACDに記録されている画像の解像度よりも低い場合には、送信側では解像度をダウンコンバートしてから多重化回路３３に供給することになる。
【００６２】
なお、本実施の形態のビデオ・オーディオデータ送受信システム１にあって、送信装置３は、ディスク再生装置２によって再生されたビデオデータと、DSD方式の１ビットオーディオデータとを多重化したが、ディスクのような記録媒体からだけでなく、入力端子６１、６２から入力されるビデオデータ、１ビットオーディオデータを多重化してもよい。もちろん、リアルタイムに生成したビデオデータと１ビットオーディオデータを多重化してもよい。
【００６３】
また、送信装置３は、ディスクから読み出した１ビットオーディオデータと、ディスク上には記録されていない、送信装置３自らが作り出した、例えば曲の表示、操作ボタンなどのユーザインターフェースを、上記パケット化された１ビットオーディオデータと多重化して送信するようにしてもよい。
【図面の簡単な説明】
【００６４】
【図１】ビデオ・オーディオデータ送受信システムの構成図である。
【図２】ディスク再生装置の構成図である。
【図３】１ビットΔΣ変調器の構成図である。
【図４】送信装置の構成図である。。
【図５】垂直同期周波数60Hzのとき、及び50Hzのとき各画面種類における、PCMオーディオデータのサンプリング周波数、チャンネル数等の伝送可能スペックを示す図である。
【図６】PCMオーディオデータの伝送を説明するための図である。
【図７】リニアPCMデータのオーディオサンプルパケット（Audio Sample Pccket）を構成するヘッダを示す図である。
【図８】リニアPCMデータのオーディオサンプルパケット（Audio Sample Pccket）を構成するデータを示す図である。
【図９】リニアPCMの480p/576pにおけるサンプリング周波数fs96kHz以下2チャンネル伝送と、fs48kHz以下8チャンネル伝送の具体例を示す図である。
【図１０】480p/576pにおけるダブルピクセルの場合のサンプリング周波数fs96kHz8チャンネル伝送の具体例を示す図である。
【図１１】ヘッダとサンプルパケット及びサブパケットとの関係を示す図である。
【図１２】リニアPCMで使用していたデータ24ビットの部分にDSDのデータを埋め込みしたときを示す図である。
【図１３】DSD8ＣＨを説明するための図である。
【図１４】ビデオ解像度による伝送より制限が生じ、マルチチャンネル伝送が可能とならないビデオモードがあるのを説明するための図である。
【図１５】DSD6ＣＨをパケット化したフォーマット図である。
【図１６】DSD6ＣＨを示す図である。
【図１７】マルチチャンネル伝送が可能となったビデオモードを説明するための図である。
【図１８】送信装置の構成図である。
【符号の説明】
【００６５】
１  ビデオオーディオデータ送受信システム、２  ディスク再生装置、３  送信装置、４  受信装置、５  モニタ受像機、８  ケーブル、３２  パケット化回路、３３  多重化回路、３４  可変クロック生成回路、３５  コントローラ
【図１】
2005295394.tif 000003
【図２】
2005295394.tif 000004
【図３】
2005295394.tif 000005
【図４】
2005295394.tif 000006
【図５】
2005295394.tif 000007
【図６】
2005295394.tif 000008
【図７】
2005295394.tif 000009
【図８】
2005295394.tif 000010
【図９】
2005295394.tif 000011
【図１０】
2005295394.tif 000012
【図１１】
2005295394.tif 000013
【図１２】
2005295394.tif 000014
【図１３】
2005295394.tif 000015
【図１４】
2005295394.tif 000016
【図１５】
2005295394.tif 000017
【図１６】
2005295394.tif 000018
【図１７】
2005295394.tif 000019
【図１８】
2005295394.tif 000020
【手続補正書】
【提出日】平成17年6月6日(2005.6.6)
【手続補正１】
【補正対象書類名】特許請求の範囲
【補正対象項目名】全文
【補正方法】変更
【補正の内容】
【特許請求の範囲】
【請求項１】
オーディオデータとビデオデータを受信装置側に送信する送信装置において、
周波数が可変するクロックを生成する可変クロック生成手段と、
上記ビデオデータの解像度にしたがってサンプリング周波数及びチャンネル数が制限されたΔΣ変調１ビットオーディオデータをパケット化するパケット化手段と、
上記パケット化手段によりパケット化されたΔΣ変調１ビットオーディオデータと上記ビデオデータとを上記可変クロック生成手段によって生成された可変クロックに基づいて多重化する多重化手段と、
上記可変クロック生成手段による可変クロックの生成を上記ビデオデータの解像度にしたがって制御すると共に、上記パケット化手段による上記ΔΣ変調１ビットオーディオデータのパケット化を制御し、かつ上記多重化手段によるパケット化１ビットオーディオデータとビデオデータとの多重化処理を制御する制御手段と
を備えることを特徴とする送信装置。
【請求項２】
上記制御手段は、上記受信装置側のビデオデータの解像度に基づいて上記可変クロック生成手段にクロックを生成させて、上記多重化手段による多重化処理を制御することを特徴とする請求項１記載の送信装置。
【請求項３】
上記多重化手段は、上記受信装置側のビデオデータの解像度に基づいてダウンコンバートされたビデオデータと上記パケット化１ビットオーディオデータとを多重化することを特徴とする請求項１記載の送信装置。
【請求項４】
上記パケット化手段は、６チャンネルの上記１ビットオーディオデータを８ビットづつパックして１パケットを形成することを特徴とする請求項１記載の送信装置。
【請求項５】
オーディオデータとビデオデータを受信装置側に送信するための送信方法において、
周波数が可変するクロックを生成する可変クロック生成工程と、
上記ビデオデータの解像度にしたがってサンプリング周波数及びチャンネル数が制限されたΔΣ変調１ビットオーディオデータをパケット化するパケット化工程と、
上記パケット化工程によりパケット化されたΔΣ変調１ビットオーディオデータと上記ビデオデータとを上記可変クロック生成工程によって生成された可変クロックに基づいて多重化する多重化工程と、
上記多重化工程によって多重化されたパケット化１ビットオーディオデータとビデオデータとを上記受信装置側に送信する送信工程と
を備えることを特徴とする送信方法。
【請求項６】
ビデオデータの解像度に基づいてサンプリング周波数及びチャンネル数が制限されてパケット化されたΔΣ変調１ビットオーディオデータと、ビデオデータとの多重化信号を送信側から受信する受信装置であって、
上記多重化信号からビデオデータとパケット化オーディオデータとを分離する分離手段と、
上記分離手段によって分離されたパケット化オーディオデータのパケット化を解くデパケット手段と、
上記デパケット手段によってパケット化が解かれた１ビットオーディオデータを出力するオーディオ出力手段と
を備えることを特徴とする受信装置。
【請求項７】
ビデオデータの解像度に基づいてサンプリング周波数及びチャンネル数が制限されてパケット化されたΔΣ変調１ビットオーディオデータと、ビデオデータとの多重化信号を送信側から受信するための受信方法であって、
上記多重化信号からビデオデータとパケット化オーディオデータとを分離する分離工程と、
上記分離工程によって分離されたビデオデータを復号するビデオ復号工程と、
上記分離工程によって分離されたパケット化オーディオデータのパケット化を解くデパケット工程と、
上記デパケット工程によってパケット化が解かれた１ビットオーディオデータを出力するオーディオ出力工程と
を備えることを特徴とする受信方法。
【請求項８】
周波数が可変するクロックを生成する可変クロック生成手段と、ビデオデータの解像度にしたがってサンプリング周波数及びチャンネル数が制限されたΔΣ変調１ビットオーディオデータをパケット化するパケット化手段と、上記パケット化手段によりパケット化されたΔΣ変調１ビットオーディオデータと上記ビデオデータとを上記可変クロック生成手段が生成した可変クロックに基づいて多重化する多重化手段と、上記可変クロック生成手段による可変クロックの生成を上記ビデオデータの解像度にしたがって制御すると共に、上記パケット手段による上記ΔΣ変調１ビットオーディオデータのパケット化を制御し、かつ上記多重化手段によるパケット化１ビットオーディオデータとビデオデータとの多重化処理を制御する制御手段とを備えてオーディオデータとビデオデータを受信装置側に送信する送信装置と、
ビデオデータの解像度に基づいてサンプリング周波数及びチャンネル数が制限されてパケット化されたΔΣ変調１ビットオーディオデータと、ビデオデータとの多重化信号からビデオデータとパケット化オーディオデータとを分離する分離手段と、上記分離手段によって分離されたパケット化オーディオデータのパケット化を解くデパケット手段と、上記デパケット手段によってパケット化が解かれた１ビットオーディオデータを出力するオーディオ出力手段とを備えてなる受信装置と
を有することを特徴とする送受信システム。
【手続補正２】
【補正対象書類名】明細書
【補正対象項目名】００１０
【補正方法】変更
【補正の内容】
【００１０】
本発明に係る送信装置は、上記課題を解決するために、オーディオデータとビデオデータを受信装置側に送信する送信装置において、周波数が可変するクロックを生成する可変クロック生成手段と、上記ビデオデータの解像度にしたがってサンプリング周波数及びチャンネル数が制限されたΔΣ変調１ビットオーディオデータをパケット化するパケット化手段と、上記パケット化手段によりパケット化されたΔΣ変調１ビットオーディオデータと上記ビデオデータとを上記可変クロック生成手段によって生成された可変クロックに基づいて多重化する多重化手段と、上記可変クロック生成手段による可変クロックの生成を上記ビデオデータの解像度にしたがって制御すると共に、上記パケット化手段による上記ΔΣ変調１ビットオーディオデータのパケット化を制御し、かつ上記多重化手段によるパケット化１ビットオーディオデータとビデオデータとの多重化処理を制御する制御手段とを備える。
【手続補正３】
【補正対象書類名】明細書
【補正対象項目名】００１１
【補正方法】変更
【補正の内容】
【００１１】
制御手段は、可変クロック生成手段による可変クロックの生成を制御すると共に、パケット手段によるΔΣ変調１ビットオーディオデータのパケット化を制御し、かつ多重化手段によるパケット化１ビットオーディオデータとビデオデータとの多重化を制御する。
【手続補正４】
【補正対象書類名】明細書
【補正対象項目名】００１２
【補正方法】変更
【補正の内容】
【００１２】
本発明に係る送信方法は、上記課題を解決するために、オーディオデータとビデオデータを受信装置側に送信するための送信方法において、周波数が可変するクロックを生成する可変クロック生成工程と、上記ビデオデータの解像度にしたがってサンプリング周波数及びチャンネル数が制限されたΔΣ変調１ビットオーディオデータをパケット化するパケット化工程と、上記パケット化工程によりパケット化されたΔΣ変調１ビットオーディオデータと上記ビデオデータとを上記可変クロック生成工程によって生成された可変クロックに基づいて多重化する多重化工程と、上記多重化工程によって多重化されたパケット化１ビットオーディオデータとビデオデータとを上記受信装置側に送信する送信工程とを備える。
【手続補正５】
【補正対象書類名】明細書
【補正対象項目名】００１６
【補正方法】変更
【補正の内容】
【００１６】
本発明に係る受信方法は、上記課題を解決するために、周波数が可変するクロックにしたがってサンプリング周波数及びチャンネル数が制限されてパケット化されたΔΣ変調１ビットオーディオデータと、ビデオデータとの多重化信号を送信側から受信するための受信方法であって、上記多重化信号からビデオデータとパケット化オーディオデータとを分離する分離工程と、上記分離工程によって分離されたビデオデータを復号するビデオ復号工程と、上記分離工程によって分離されたパケット化オーディオデータのパケット化を解くデパケット工程と、上記デパケット工程によってパケット化が解かれた１ビットオーディオデータを出力するオーディオ出力工程とを備える。
【手続補正６】
【補正対象書類名】明細書
【補正対象項目名】００１８
【補正方法】変更
【補正の内容】
【００１８】
本発明に係る送受信システムは、上記課題を解決するために、周波数が可変するクロックを生成する可変クロック生成手段と、ビデオデータの解像度にしたがってサンプリング周波数及びチャンネル数が制限されたΔΣ変調１ビットオーディオデータをパケット化するパケット化手段と、上記パケット化手段によりパケット化されたΔΣ変調１ビットオーディオデータと上記ビデオデータとを上記可変クロック生成手段によって生成された可変クロックに基づいて多重化する多重化手段と、上記可変クロック生成手段による可変クロックの生成を上記ビデオデータの解像度にしたがって制御すると共に、上記パケット手段による上記ΔΣ変調１ビットオーディオデータのパケット化を制御し、かつ上記多重化手段によるパケット化１ビットオーディオデータとビデオデータとの多重化処理を制御する制御手段とを備えてオーディオデータとビデオデータを受信装置側に送信する送信装置と、ビデオデータの解像度に基づいてサンプリング周波数及びチャンネル数が制限されてパケット化されたΔΣ変調１ビットオーディオデータと、ビデオデータとの多重化信号からビデオデータとパケット化オーディオデータとを分離する分離手段と、上記分離手段によって分離されたパケット化オーディオデータのパケット化を解くデパケット手段と、上記デパケット手段によってパケット化が解かれた１ビットオーディオデータを出力するオーディオ出力手段とを備えてなる受信装置とを有する。